(57)【要約】【課題】選局データを一時的に変更しても、元の放送番組の聞き損ないや見損ないをなくすこと。【解決手段】放送受信機において、設定手段によって設定された選局データに基づいて放送番組を受信するチューナーと、前記設定手段の設定状態を記憶する記憶手段と、前記記憶手段が設定状態を記憶した後に前記記憶手段が記憶した設定状態とは異なる設定状態となるように前記設定手段を動作させる変更手段と、前記変更手段が動作した時点からの時間を計測する第１計測手段と、前記第１計測手段にて計測時間が第１所定時間以上経過したことが検出されたことに応じて前記設定手段を前記記憶手段に記憶された設定状態に戻す復帰手段と、を具備した。【選択図】　　図３
2004088461.tif 000002
【特許請求の範囲】
【請求項１】
設定手段によって設定された選局データに基づいて放送番組を受信するチューナーと、
前記設定手段の設定状態を記憶する記憶手段と、
前記記憶手段が設定状態を記憶した後に前記記憶手段が記憶した設定状態とは異なる設定状態となるように前記設定手段を動作させる変更手段と、
前記変更手段が動作した時点からの時間を計測する第１計測手段と、
前記第１計測手段にて計測時間が第１所定時間以上経過したことが検出されたことに応じて前記設定手段を前記記憶手段に記憶された設定状態に戻す復帰手段と、
を具備することを特徴とする放送受信機。
【請求項２】
前記第１所定時間を設定変更する第１設定変更手段をさらに具備することを特徴とする請求項１記載の放送受信機。
【請求項３】
設定手段によって設定された選局データに基づいて放送番組を受信するチューナーを有する放送受信機を遠隔操作する放送受信機用リモコン装置であって、
前記設定手段に選局データを設定する設定コマンドを送信する送信手段と、
前記送信手段が第１選局データを設定する第１設定コマンドを送信したことを記憶する動作記憶手段と、
前記動作記憶手段が動作した後に前記送信手段に第２選局データを設定する第２設定コマンドを送信させる送信制御手段と、
前記送信制御手段が動作した時点からの時間を計測する第２計測手段と、
前記第２計測手段にて計測時間が第２所定時間以上経過したことが検出されたことに応じて前記動作記憶手段の記憶内容に従って前記送信手段に前記第１設定コマンドを送信させる再動作手段と、
を具備することを特徴とする放送受信機用リモコン装置。
【請求項４】
前記第２所定時間を設定変更する第２設定変更手段をさらに具備することを特徴とする請求項３記載の放送受信機用リモコン装置。
【発明の詳細な説明】
【０００１】
【発明の属する技術分野】
本発明は、ラジオやテレビジョン装置の様に、設定手段によって設定された選局データに基づいて番組放送を受信するチューナーを有する放送受信機、及び該放送受信機を遠隔操作する放送受信機用リモコン装置に関する。
【０００２】
【従来の技術】
従来、ラジオやテレビジョン装置を使用する際、番組放送中に興味のない内容が一時的に続いた場合、その対策として使用者は、他の放送番組を受信すべく選局状態を一時的に変更し、追って元に戻すという操作を手動で行っていた。
【０００３】
【発明が解決しようとする課題】
しかしながら、他の放送番組に気を取られるあまり元に戻すという操作を忘れ、元の放送番組を聞き損なう、見損なうという課題があった。
【０００４】
本発明は、選局状態を一時的に変更しても、元の放送番組の聞き損ないや見損ないをなくすことを目的とする。
【０００５】
【課題を解決するための手段】
本発明は、上記課題を解決するために、放送受信機において、設定手段によって設定された選局データに基づいて放送番組を受信するチューナーと、前記設定手段の設定状態を記憶する記憶手段と、前記記憶手段が設定状態を記憶した後に前記記憶手段が記憶した設定状態とは異なる設定状態となるように前記設定手段を動作させる変更手段と、前記変更手段が動作した時点からの時間を計測する第１計測手段と、前記第１計測手段にて計測時間が第１所定時間以上経過したことが検出されたことに応じて前記設定手段を前記記憶手段に記憶された設定状態に戻す復帰手段と、を具備することを特徴とする。
【０００６】
さらに、設定手段によって設定された選局データに基づいて放送番組を受信するチューナーを有する放送受信機を遠隔操作する放送受信機用リモコン装置であって、前記設定手段に選局データを設定する設定コマンドを送信する送信手段と、前記送信手段が第１選局データを設定する第１設定コマンドを送信したことを記憶する動作記憶手段と、前記動作記憶手段が動作した後に前記送信手段に第２選局データを設定する第２設定コマンドを送信させる送信制御手段と、前記送信制御手段が動作した時点からの時間を計測する第２計測手段と、前記第２計測手段にて計測時間が第２所定時間以上経過したことが検出されたことに応じて前記動作記憶手段の記憶内容に従って前記送信手段に前記第１設定コマンドを送信させる再動作手段と、を具備することを特徴とする。
【０００７】
【発明の実施の形態】
以下図面に従い、本発明の実施の形態について説明する。
図１は本発明の第１実施例であるテレビジョン装置を示した機能ブロック図である。図において、１はチューナーであり、設定される選局データに応じて放送番組を受信し、ドライバー２を用いて表示パネル３を駆動し映像信号を表示する。なお、音声信号の受信についての説明は割愛する。
【０００８】
４はチューナー１とドライバー２を制御する制御回路であり、５は復帰モード設定釦５ａ、復帰時間設定釦５ｂ、選局釦５ｃを具備する操作パネルであり、制御回路４に対し各種の設定を行うものである。なお、表示パネル３は、操作パネル５の操作状況や、後述する復帰モードが設定されているか否かも表示する。
【０００９】
復帰モード設定釦５ａを操作すると、制御回路４は図２に示したフローチャートに従って動作する。復帰モード設定釦５ａが押されると、選局データを所定時間後に復帰させる復帰モードが設定されていることを示すフラッグＦの値をチェックし（Ｓ１）、Ｆの値が０、すなわち復帰モードが設定されていない状態であればＦの値を１として復帰モードを設定し（Ｓ２）、続いて復帰時間設定釦５ｂを操作して復帰するまでの時間である復帰時間の設定を行う（Ｓ３）。復帰時間の設定は、復帰時間設定釦５ｂを操作して直接１分、２分、３分と値を入力することによって行う。なお、トグル式に１分、２分、３分、１分、２分・・・というように設定するようにしてもよい。一方、ステップＳ１において、Ｆの値が１、すなわち復帰モードが設定されている状態であればＦの値を０として復帰モードを解除する（Ｓ４）。
【００１０】
次に、選局釦５ｃを操作した場合の制御回路４の動作を、図３に示したフローチャートに従って説明する。選局釦５ｃを操作を受けると復帰モードが設定されていることを示すフラッグＦの値をチェックする（Ｓ５）。Ｆの値が０、すなわち復帰モードが設定されていない状態であれば、直ちに選局データを変更し（Ｓ６）、終了する。Ｆの値が１、すなわち復帰モードが設定されている状態であれば、チューナー２の選局状態を記憶すべく選局データそのもの、又は選局データを特定するための選択データを記憶し（Ｓ７）、その後、選局データの変更を行う（Ｓ８）。そして、復帰時間を計測するタイマーの動作を開始させる（Ｓ９）。その後、前記タイマーの計測時間が図２のステップＳ３にて設定した復帰時間を経過したか否かを判断し（Ｓ１０）、経過するまでの間、選局釦５ｃの操作による選局データの変更を自由に受け付け（Ｓ１１）（Ｓ１２）、経過したと判断すればステップＳ７で記憶した選局データ又は選択データを基に、ステップＳ８にて選局データの変更を行う前の選局状態に復帰させる。
【００１１】
第１実施例によれば、テレビジョン装置において、復帰モードが設定されていれば、選局釦５ｃの操作による選局データの変更を行っても所定時間経過後に元の選局状態に復帰させることができるで、元の放送番組を見損なうことがなくなる。
【００１２】
次に本発明の第２実施例について説明する。図４は本発明の第２実施例であるリモコン装置によって制御されるテレビジョン装置を示した機能ブロック図であり、図５はそのリモコン装置である。図４において、１はチューナーであり、設定される選局データに応じて放送番組を受信し、ドライバー２を用いて表示パネル３を駆動し映像信号を表示する。なお、音声信号の受信についての説明は割愛する。
【００１３】
６はチューナー１とドライバー２を制御する制御回路であり、７は選局釦７ｃを具備する操作パネルであり、制御回路６に対し各種の設定を行うものである。そして、図１に示した第１実施例とは異なり、後述するリモコン装置から送信される制御信号（赤外光）を受光し、制御回路６に制御信号を送る受光装置８を備えている。
【００１４】
一方、リモコン装置は、図５に示すように、復帰モード設定釦１１ａ、復帰時間設定釦１１ｂ、選局釦１１ｃを具備する操作パネル１１と、制御回路１２と、制御回路１２からの制御信号を送信する発光装置１３と、表示装置１４を備えている。表示装置１４は、操作パネル１１の操作状況や、後述する復帰モードが設定されているか否かを表示する。
【００１５】
リモコン装置において、復帰モード設定釦１１ａを操作すると、制御回路６は図６に示したフローチャートに従って動作する。復帰モード設定釦１１ａが押されると、選局データを所定時間後に復帰させる復帰モードが設定されていることを示すフラッグＦの値をチェックし（Ｓ２１）、Ｆの値が０、すなわち復帰モードが設定されていない状態であればＦの値を１として復帰モードを設定し（Ｓ２２）、続いて操作パネル５を操作して復帰するまでの時間である復帰時間の設定を行う（Ｓ２３）。復帰時間の設定は、復帰時間設定釦５ｂを操作して直接１分、２分、３分と値を入力することによって行う。なお、トグル式に１分、２分、３分、１分、２分・・・というように設定するようにしてもよい。
【００１６】
次に、復帰したい放送番組を特定し記憶する動作として、該放送番組に対応した選局データをテレビジョン装置のチューナー１に設定する選局データ指示信号を発光装置１３を用いてテレビジョン装置に送信し（Ｓ２４）、送信した選局データ指示信号そのもの、又は該送信した選局データ指示信号を特定するための選択データを記憶する（Ｓ２５）。すなわち、本実施例では、復帰したい放送番組を特定し記憶するための動作であるステップＳ２４、Ｓ２５は、復帰モードを設定する際に行う。なお、選局データ指示信号は受光装置８によって受信され、制御回路６は、選局データ指示信号に従って選局データをチューナ１に設定する。一方、ステップＳ１において、Ｆの値が１、すなわち復帰モードが設定されている状態であればＦの値を０として復帰モードを解除する（Ｓ２６）。
【００１７】
次に、選局釦１１ｃを操作した場合の制御回路６の動作を、図７に示したフローチャートに従って説明する。選局釦５ｃを操作を受けると、該操作に応じて選局データ指示信号を発光装置１３を用いてテレビジョン装置に送信しする（Ｓ２７）。次に、復帰モードが設定されていることを示すフラッグＦの値をチェックする（Ｓ２８）。Ｆの値が０、すなわち復帰モードが設定されていない状態であれば、何もせずに終了する。Ｆの値が１、すなわち復帰モードが設定されている状態であれば、復帰時間を計測するタイマーの動作を開始させる（Ｓ２９）。その後、前記タイマーの計測時間が図６のステップＳ２３にて設定した復帰時間を経過したか否かを判断し（Ｓ３０）、経過するまでの間、選局釦１１ｃの操作による選局データ指示信号の送信を自由に受け付け（Ｓ３１）（Ｓ３２）、経過したと判断すれば、図６のステップＳ２５で記憶したデータを基に選局データ指示信号を送信し（Ｓ３３）、チューナー１を図６のステップＳ２４を実行した後の選局データ設定状態に復帰させる。
【００１８】
次に本発明の第３実施例について説明する。なお、第２実施例であるリモコン装置によって制御されるテレビジョン装置、及びそのリモコン装置の機能ブロック図は、第２実施例と共通であり、詳細な説明は割愛する。
【００１９】
リモコン装置において、復帰モード設定釦１１ａを操作すると、制御回路６は図８に示したフローチャートに従って動作する。なお、第２実施例であるリモコン装置の動作を示した図６のフローチャートと共通するステップは、同じ符号を付し、詳細な説明は割愛する。
【００２０】
図６に示したフローチャートと異なる点は、ステップＳ２４及びステップＳ２５がないことである。本実施例では、送信した選局データ指示信号そのもの、又は該送信した選局データ指示信号を特定するための選択データを記憶する動作は、選局釦１１ｃを操作した際に行われる。
【００２１】
次に、選局釦１１ｃを操作した場合の制御回路６の動作を、図９に示したフローチャートに従って説明する。なお、第２実施例であるリモコン装置の動作を示した図７のフローチャートと共通するステップは、同じ符号を付し、説明は割愛する。
【００２２】
図７に示したフローチャートと異なる点は、ステップＳ２８において、復帰モードが設定されていることを示すフラッグＦの値が０、すなわち復帰モードが設定されていない状態であると判断すれば、ステップＳ２７にて送信した選局データ指示信号そのもの、又は該送信した選局データ指示信号を特定するための選択データを記憶し（Ｓ３４）、終了する。すなわち、本実施例では、復帰すべき放送番組を特定し記憶するための動作は、復帰モードが設定される前に選局データ指示信号を送信する度に行う。一方、ステップＳ３０において、タイマーの計測時間が図８のステップＳ２３にて設定した復帰時間を経過したと判断すれば、ステップＳ３４で記憶したデータを基に選局データ指示信号を送信し（Ｓ３５）、チューナー１を図８のステップＳ２４を実行した時点での選局データ設定状態に復帰させる。
【００２３】
第２、第３実施例によれば、テレビジョン装置を制御するリモコン装置において、復帰モードが設定されていれば、選局釦１１ｃの操作による選局データの変更を指示しても所定時間経過後に元の選局状態に復帰させる制御信号を自動的に送信することができるで、元の放送番組を見損なうことがなくなる。
【００２４】
以上、本発明の実施例について説明したが、本発明はテレビジョン装置やテレビジョン装置を制御するリモコン装置に限らず、ラジオやラジオを制御するリモコン装置としても実施可能である。又、リモコン装置としては、赤外光に限らず、電波や超音波を用いてもよく、信号線で接続されたリモコン装置であってもよい。
【００２５】
【発明の効果】
本発明によれば、選局状態を一時的に変更しても、元の放送番組の聞き損ないや見損ないを、簡単な構成で回避する放送受信機および放送受信機用リモコン装置を提供することができ、その効果は大である。
【図面の簡単な説明】
【図１】本発明の第１実施例であるテレビジョン装置を示した機能ブロック図である。
【図２】図１に示したテレビジョン装置の動作を示したフローチャートである。
【図３】図１に示したテレビジョン装置の動作を示したフローチャートである。
【図４】本発明の第２、第３実施例であるリモコン装置によって制御されるテレビジョン装置を示した機能ブロック図である。
【図５】本発明の第２、第３実施例であるリモコン装置を示した機能ブロック図である。
【図６】本発明の第２実施例であるリモコン装置の動作を示したフローチャートである。
【図７】本発明の第２実施例であるリモコン装置の動作を示したフローチャートである。
【図８】本発明の第３実施例であるリモコン装置の動作を示したフローチャートである。
【図９】本発明の第３実施例であるリモコン装置の動作を示したフローチャートである。
【符号の説明】
１　チューナー
４　制御回路
５　操作パネル
８　受光装置
１１　操作パネル
１２　制御回路
１３　発光装置
【図１】
2004088461.tif 000003
【図２】
2004088461.tif 000004
【図３】
2004088461.tif 000005
【図４】
2004088461.tif 000006
【図５】
2004088461.tif 000007
【図６】
2004088461.tif 000008
【図７】
2004088461.tif 000009
【図８】
2004088461.tif 000010
【図９】
2004088461.tif 000011